(57)【要約】【課題】簡便な構造により、製剤工場、研究序等において、化学物質を扱う空気清浄室詰まり、クリーンルームにおける、内部のハザード物質が他室に流出するのを防ぐ目的の室内陰圧化と、外部からの汚染物質の流入を防止する目的の室内陽圧化という、相矛盾する室内の圧力制御を一挙に解決する構造を提供すること。【解決手段】空気清浄室の壁、天井を中空のパネルで構成し、前記中空のパネルの支柱やコーナーポスト等に開口部を設けると共に、区画範囲ごとに一乃至は数箇所の吸引口を設け、前記中空のパネル内部に管を繋ぎ、この管の他端部に空気吸引・放出装置を設け、前記中空のパネル内部と空気吸引・放出装置とを繋ぐ管の内部にフィルターと集塵装置とを取り付け、前記空気吸引・放出装置に制御装置を取り付けてある。【選択図】図３
2008039229.tif 000002
【特許請求の範囲】
【請求項１】
部屋の壁、天井を中空のパネルで構成し、前記中空のパネルの支柱やコーナーポスト等に開口部を設けると共に、区画範囲ごとに一乃至は数箇所の吸引口を設け，前記中空のパネル内部に管を繋ぎ、この管の他端部に空気吸引・放出装置を設け中空のパネル内部を陰圧とすることを特徴とする部屋の中空パネル構造。
【請求項２】
前記中空のパネル内部と空気吸引・放出装置とを繋ぐ管の内部にフィルター、集塵装置の少なくともその一方を取り付けたことを特徴とする請求項１記載の部屋の中空パネル構造。
【請求項３】
前記空気吸引・放出装置に制御装置を取り付けてあることを特徴とする請求項１記載の部屋の中空パネル構造。
【発明の詳細な説明】
【技術分野】
【０００１】
製剤工場、研究所等、健常者には有害となる化学物質を扱う等の施設における、作業室内の空気を外部に漏らさないで且つ外部からの汚染物質の流入を防ぐことの対策としての部屋の中空パネル構造に関する物である。
【背景技術】
【０００２】
従来、空気清浄室詰まり、所謂クリーンルームは、その多くが、クリーンルーム内の空気を循環させ、その度ごとにフィルターを通過させることによって、クリーンルーム内の空気を清浄化する構造をとっている。  詰まり、これまでのクリーンルームの構造上の目的は塵埃等の物理的汚染物質の除去と、外部からの汚染物質の流入を防止することであった。しかし、健常者には有害な化学物質を扱う施設においては、化学物質が取り扱いエリアから外部へ流出することを防止する必要があった。
【０００３】
そして、この場合、一般的には、その多くが壁をコンクリートのような極めて気密性の高い材料で構成したり、隣接室との間仕切り壁を二重に構成して、クリーンルーム内を陽圧詰まりプラス圧にし、例えば二重壁の間を隣接室より陰圧詰まりマイナス圧に制御して、ハサード物質が他室に流出することを防ぐ等の方法がとられていた。
【０００４】
このような、圧力に関する管理は、通常の間仕切り壁や天井材では湿式、乾式を問わずパネル接合部や機器や器具の取り付け部などの気密性を完全にとることができないことに起因しており、クリーンルーム、ハザード施設では圧力制御は必須となっており、出入り口等においては、前室を設けるなどして、室間での圧力制御を行い、汚染物質の流出あるいは流入を防ぐことが行われていた。
【特許文献１】特開平６ー２０１１６９
【特許文献２】特開平８ー３０４３２２
【特許文献３】特開平１１ー１４１０３５
【特許文献４】特開２０００ー３０４３２２
【発明の開示】
【発明が解決しようとする課題】
【０００５】
本発明は、簡便な構造により、製剤工場、研究所等において、人体に有害な化学物質を扱う空気清浄室詰まり、クリーンルームにおける、内部のハザード物質が他室に流出するのを防ぐ目的の室内陰圧化と、外部からの汚染物質の流入を防止する目的の室内陽圧化という、相矛盾する室内の圧力制御を一挙に解決する構造を提供することを目的とするものである。
【課題を解決するための手段】
【０００６】
第一の発明は、部屋の壁、天井を中空のパネルで構成し、前記中空のパネルの支柱やコーナーポスト等に開口部を設けると共に、区画範囲ごとに一乃至は数箇所の吸引口を設け，前記中空のパネル内部に管を繋ぎ、この管の他端部に空気吸引・放出装置を設け中空のパネル内部を陰圧とすることを特徴とする。
【０００７】
このことにより、空気清浄室を構成する壁、天井を中空の壁パネル、天井パネルで構成して、空気清浄室内部を気密に保つことができることとなり、開口部を設けることによって、中空パネル内部の気圧を一定化に保つことができ、且つ、区画範囲ごとに吸引口を設けることにより、ここから中空パネル内部の圧力を陰圧に保つことが可能となり、この中空パネル内に汚染物質・ハザード物質を閉じ込めることができることになり、中空パネル内部の圧力の陰圧化の手段としての空気吸引・放出装置がこの目的を達成することになる。詰まり、気密に保たれた中空パネルの内部から空気を抜き取ることによって、内部気圧は低下し、陰圧化することになるものである。そして、中空パネル内に汚染物質・ハザード物質を閉じ込めることができることになる。
【０００８】
第二の発明は、前記中空のパネル内部と空気吸引・放出装置とを繋ぐ管の内部にフィルター、集塵装置、少なくともその一方を取り付けたことを特徴とする。
【０００９】
このことにより、中空パネル内の陰圧化のためのパネル内の空気の抜き取りと共に、汚染物質・ハザード物質を効果的に除去して、清浄な空気を外部に放出するものである。この際、前記フィルタ、集塵装置の内部への設置は、そのいずれか一方でもよく、また、その両者を設置してもよい。
【００１０】
第三の発明は、前記空気吸引・放出装置に制御装置を取り付けてあることを特徴とする。
【００１１】
このことにより、ハザード物質の危険度レベル、周辺室等の設定クリーン度により、中空パネル内部の圧力を適宜設定することによって、ハザード物質の危険性を排除することができるものである。
【発明の効果】
【００１２】
本発明の、空気清浄室の内部空気清浄化構造によって、省スペース化で汚染エリアを取り扱い室のみとすることができ、コンクリート壁としたり、壁を二重にしたり、天井内の汚染を止むを得ないとするなどの制約を排除し、空気清浄室を構成する壁、天井を中空の壁パネル、天井パネルで構成して、空気清浄室内部を気密に保つことができることとなり、開口部を設けることによって、中空パネル内部の気圧を一定化に保つことができ、且つ、区画範囲ごとに吸引口を設けることにより、ここから中空パネル内部の圧力を陰圧に保つことが可能となり、この中空パネル内に汚染物質・ハザード物質を閉じ込めることができることになる。また、中空パネル内部の圧力の陰圧化の手段としての空気吸引・放出装置がこの目的を達成することになる。詰まり、気密に保たれた中空パネルの内部から空気を抜き取ることによって、内部気圧は低下し、陰圧化することになるものである。そして、中空パネル内に汚染物質・ハザード物質を閉じ込めることができることになる。
【００１３】
中空パネル内の陰圧化によって閉じ込められた、汚染物質・ハザード物質を取り除いて、中空パネル内の陰圧化のためのパネル内の空気の抜き取りと共に、汚染物質・ハザード物質を除去することを成して、清浄な空気を外部に放出するものである。
【００１４】
更に、このことにより、ハザード物質の危険度レベル、周辺室等の設定クリーン度により、中空パネル内部の圧力を適宜設定することによって、ハザード物質漏洩の危険性を排除することができるものである。
【発明を実施するための最良の形態】
【００１５】
先ず、図１は、本発明の部屋の中空パネル構造における、その主体となるべき中空のパネルの接続部を示すものである。図において、１ａ，１ｂ，１ｃ，１ｄは、この中空パネルを構成するパネル部材であって、それぞれ適宜間隔を保持しながら、巾木によって支持されて固定されている。
図１及び図２に示す、Ａは開口部であって、これが前記の巾木に穿たれていて中空パネル１内部を一連のものとして繋いでいるものであると同時に前記中空パネルの支柱やコーナーポスト等に、例えば、開口面積を直径５ｍｍから１００ｍｍの大きさで、１ｍ当たり２から３箇所で、形状は楕円形、四角形、長方形等とするものである。
図においてａ，ｂ，ｃは接続部を封印するシリコンシーリング部であり、このことによって、部屋は、その内部空気を清浄化するに当たって、内部を気密に保つことが可能となる。
【００１６】
図３は、本発明の部屋の中空パネル構造の全体システムを示すものである。図において、中空パネル１によって、室５内に設けた、部屋である。この部屋には、内部空気吸引管２ａ，２ｂ，２ｃから、中空パネル内部空気が高性能フィルタ４を通して、吸引装置３によって、吸い上げられ、外気の吹き出し口７から、清浄な空気として吹き出されるものである。ここにおいて、管とは円形状のパイプ、チューブ或いは円形状、若しくは矩形状のダクト等である。
【００１７】
また、図において、外気を吸い込み口１１から吸い込み、１０で示す、外気処理ユニットによって、冷房あるいは暖房を行い、清浄化されて、定風量装置９によって、定量化された清浄な空気がダクト６ａ，６ｂを通して、部屋Ｒ及び廊下Ｒ’内に吹き出し口１２ａ，１２ｂから吹き出されるものである。
【００１８】
上記の、中空パネル１内部空気の吸引と、部屋Ｒ，Ｒ’内への外気の吹き出しによって、天井裏５ａ、外部室５ｂ及び中空パネル内部及び部屋Ｒ，Ｒ’内の気圧は、例えば０Ｐa,＋２０Ｐa,−２０Ｐa ，＋２０Ｐa ，となるものである。
【００１９】
このことによって、陰圧である中空パネル１内部にハザード物質詰まり危険な化学物質をこの中空パネル１内空間に封じ込めることができるものである。ハザード物質の封じ込めのための、内部空気圧の減圧化は制御することによって、強化も軽減化も何れも可能であるものである。
【００２０】
また、天井裏の気圧の、０Ｐa 圧によって、天井裏５ａは一般エリアとして、非汚染区域とすることができる。
【００２１】
また、中空パネル１へのコンセント４や照明器具１６などの取り付けについては、図４にコンセントの場合、図５，図６に照明器具の場合を示しているが、図４のコンセントの場合は側壁面のパネル部材１ｃ，１ｄで構成される空間内にコンセント１４の取り入れ口を開けて、内表面部をカバー１４ａで覆い、配線コードの取り付け部共々、シリコン等のシール部材１３でシールすることとする。
【００２２】
また、図５，図６に示す、照明器具１６の場合、図５の場合の様に小型のものであれば、天井パネルのパネル部材１ａ，１ｂにコンセントの場合と同じく照明器具１６を、パネル部材１ｂに取り付け口を開けて、ここに照明器具１６を取り付け支える部材として下面カバー１６ａを取り付け、この取り付け部並びに、配線コード１５ａの取り入れ口及び取り付け部にそれぞれシール部材１３を施すものである。
図６の大型の照明器具の場合には、パネル部材１ａ，１ｂにそれぞれ取り付け口を設けて、上部カバー１８と下面カバー１６ａの取り付け部及び配線コード１５ａ取り入れ部及び取り付け部にシール部材１３を施すものである。また、この場合には、開口部１７を照明器具１６とパネル部材１ａとの間に設けることとする。
【００２３】
これらのシール部材１３及び開口部１７等によって、パネル部材１ａ，１ｂ，１ｃ，１ｄで構成される中空パネル１空間を陰圧に保持することを可能とするものである。このことによって、陰圧である中空パネル１内部にハザード物質詰まり危険な化学物質をこの中空パネル１内空間に封じ込めることができるものである。
【００２４】
ここにおいて、図示はしなかったが、従来から用いられている軽鉄下地にボード等を張りつける工法で中空部を構成した空気清浄室Ｒ，Ｒ’を用いてもよいものとするものである。
【産業上の利用可能性】
【００２５】
室内に再区画した所の特別室を設けるという意味での、産業上の意義がひろがるものである。
【図面の簡単な説明】
【００２６】
【図１】本発明の部屋の中空パネル構造における、その主体となるべき中空のパネルの接続部を示すものである。
【図２】中空パネルの縦断面図である。
【図３】本発明の部屋の中空パネル構造の全体システムを示すものである。
【図４】中空パネルの壁部にコンセントを取り付けた時の図である。
【図５】中空パネルの天井部に小型の照明器具を取り付けた時の図である。
【図６】中空パネルの天井部に大型の照明器具を取り付けた時の図である。
【符号の説明】
【００２７】
１                        中空パネル
１ａ，１ｂ，１ｃ，１ｄ    パネル部材
２ａ，２ｂ，２ｃ          管
３                        空気吸引装置
４                        高性能フィルタ
５                        室
５ａ                      天井裏空間
５ｂ                      外部室空間
６ａ，６ｂ                ダクト
７                        外部吹き出し口
９                        定風量装置
１０                      外気処理ユニット
１１                      外気吸引口
１２ａ，１２ｂ            空気吹き出し口
１３                      シール
１４                      コンセント
１４ａ                    カバー
１５                      コード
１５ａ                    電源コード
１６                      照明器具
１６ａ                    下面カバー
１７                      開口部
Ａ                        開口
Ｒ                        部屋
Ｒ’                      部屋廊下
【図１】
2008039229.tif 000003
【図２】
2008039229.tif 000004
【図３】
2008039229.tif 000005
【図４】
2008039229.tif 000006
【図５】
2008039229.tif 000007
【図６】
2008039229.tif 000008